(57)【要約】      （修正有）【課題】内部を流れる水を有効に利用して、照明のために発電するシャワーヘッドを提供する。【解決手段】ターボチャージャー機構を備えたシャワーヘッドは、シャワーヘッド筐体とタービンコンプレッサーユニットとを含む。シャワーヘッド筐体は、水流を導くためのケース水入口と、徐々に広がるケース壁と、放水パネルとを有する。タービンコンプレッサーユニットは、筐体内部に設けられ、水流が渦巻き状に変換される圧縮室３００と、圧縮室３００に回転可能に設けられたタービンポンプインペラ３２と、電気エネルギーを発生させることが可能なタービン発電機４とを含む。タービン発電機４は、照明部５と電気的に接続し、それにより光ビームが照射される。本発明に係るシャワーヘッドは、ターボチャージャー機構を備えており、シャワーヘッドの内部を流れる水を有効に利用することにより照明用の発電を効率的に行う。【選択図】図１
0003143899.tif 000002
【実用新案登録請求の範囲】
【請求項１】
ターボチャージャー機構を備えたシャワーヘッドであって、
ケースおよび放水パネルを有するシャワーヘッド筐体と、筐体内部に設けられたタービンコンプレッサーユニットと、を有し、
前記ケースは、水流を導くためのケース水入口と、徐々に広がるケース壁とを有し、
前記放水パネルは、該放水パネルに設けられた水スプレーノズルを有すると共に、前記ケースの最も底部に配設され、該ケースと密閉状態で結合し、
前記タービンコンプレッサーユニットは、圧縮室と、該圧縮室に回転可能に設けられたタービンポンプインペラと、前記筐体内部に設けられたタービン発電機と、圧縮室水出口と、前記筐体内部に設けられた照明手段と、を有し、
前記圧縮室は、前記水流を渦巻き状に変換して前記タービンポンプインペラを駆動するために、前記ケース水入口と連通する圧縮室水入口を有し、前記水流は前記圧縮室水出口から放出され、
前記タービン発電機は、発電機と、前記タービンポンプインペラと同軸で連結する駆動シャフトとを有し、該タービンポンプインペラが前記渦巻き状の水流によって駆動することにより、該タービンポンプインペラが前記駆動シャフトを回転させ、該タービン発電機から電気エネルギーが発生し、
前記圧縮室水出口は、前記放水パネルに設けられた前記水スプレーノズルに連通して、前記水流が該水スプレーノズルから噴射され、
前記照明手段は、前記タービン発電機と電気的に接続して、光ビームを照射することを特徴とするシャワーヘッド。
【請求項２】
前記タービン発電機は、前記ケース水入口の近傍に設けられると共に、発電機と発電機保護カバーとを備え、
前記発電機保護カバーには保護カバー水通路が配設され、また、前記発電機保護カバーは、内部に前記発電機を設けるために後方に突き出しており、前記筐体内部の円形壁にはめ込まれることを特徴とする請求項１に記載のシャワーヘッド。
【請求項３】
前記圧縮室は、圧縮室上部体と、取り外し可能に該圧縮室上部体の底部を覆う圧縮室下部蓋とをさらに有し、それにより前記タービンポンプインペラを内部に収容する圧縮室が規定され、
前記圧縮室上部体には、前記ケース水入口と連通する圧縮室水入口が設けられると共に、前記圧縮室水入口から入る水流を導くために、前記圧縮室水入口から前記圧縮室水出口までの横切断面の直径が次第に狭くなる遠心通路が該圧縮室上部体の底部上面に設けられ、
前記遠心通路は、前記水流の移動方向に対して垂直な方向に複数の傾斜取水口が形成された内壁を有し、それにより前記水流の一部が前記タービンポンプインペラの回転方向に対して垂直な方向に浸入して、円形状の遠心通路に沿って接線方向に連続的な力を生み、それにより前記渦巻き状の水流が発生し、
前記圧縮室下部蓋の底部には、前記タービンポンプインペラを収容することができる圧縮室下部凹部が設けられ、
該圧縮室下部凹部の底部には、圧縮室水出口が設けられることを特徴とする請求項１に記載のシャワーヘッド。
【請求項４】
前記照明手段は、回路基板と、前記タービン発電機と電気的に接続する回路とをさらに備え、
前記回路は、前記回路基板の下面に間隔をおいて設けられた、光ビームを照射するための複数の発光管を有し、
前記回路基板は、回路基板水排出孔を有することを特徴とする請求項１に記載のシャワーヘッド。
【請求項５】
前記圧縮室上部体には水通路スリーブ管が設けられ、
前記水通路スリーブ管は、該圧縮室上部体から上方へと延び、前記発電機保護カバーに設けられた前記保護カバー水通路に挿入され、
前記水通路スリーブ管および前記保護カバー水通路は密閉状態で結合し、前記水流が前記圧縮室に直接注入されることを特徴とする請求項４に記載のシャワーヘッド。
【請求項６】
前記タービン発電機と前記タービンポンプユニットとの間にシーリング・ガスケットをさらに備え、該タービン発電機と該タービンポンプユニットとの間を完全にシーリングし、湿気による前記発電機への影響を防止することを特徴とする請求項５に記載のシャワーヘッド。
【請求項７】
前記発電機保護カバーには保護カバー電線用貫通孔が、前記圧縮室上部体には圧縮室上部体電線用貫通孔が、圧縮室下部蓋には圧縮室下部電線用貫通孔が、それぞれ形成されていることを特徴とする請求項１に記載のシャワーヘッド。
【考案の詳細な説明】
【技術分野】
【０００１】
本考案は、液体ディスペンサーに関する。より具体的には、ターボチャージャー機構を備えたシャワーヘッドであって、該シャワーヘッドの内部を流れる水を有効に利用して、照明あるいはその他の用途のために発電するシャワーヘッドに関する。
【背景技術】
【０００２】
今日、多種のシャワーヘッドが市販されている。そして、脈打ち、センタリング、シャワー、霧吹きなどの異なる水噴射パターンを生み出すため、すべてのシャワーヘッドが、複雑な構造で設計され、また相当数の内部部品を有している。
【考案の開示】
【考案が解決しようとする課題】
【０００３】
その一方で、すべての複雑な部品が、防水仕様によってシャワーヘッドの内部に収容されていなければならない。それゆえ、製造プロセスは複雑であり、シャワーヘッドの関連コストは高い。さらに、数多くの精密部品が１つのシャワーヘッド筐体に入れられるために、実際の使用に際して、すべてのキー部品が理想的な状態で取り付けられているとは言えない。製品が長期間に亘って使用された場合には、シャワーヘッドの表面に異物が蓄積し、水の噴出ノズルが塞がれてしまう。
【０００４】
ほとんどのユーザーは、信頼性が高く廉価なシャワーヘッドを望んでいる。シャワーヘッドの表面に蓄積した異物によって閉塞が起こることは許されるものではない。何よりも、異物によってシャワーヘッドが本来有する外観が損なわれる。さらに、このような閉塞によって、必要とする水の噴射が妨げられてしまう。
【０００５】
シャワーの最中に不意の停電が起こることは、誰にとっても想像しうる最悪の経験である。特に、ホテルや公衆浴場でのシャワー中における突然の暗闇は混乱を招く。シャワーについて言えば、通常は、懐中電灯などの他の照明手段によって照明が得られる。しかしながら、シャワー室から出て照明器具を取りに行くことは、ほとんどのユーザーにとって極めて不便なことであり、苦痛なことでもある。
【０００６】
従って、シャワーヘッドは、緊急時の照明手段としては不都合である。また、こういった照明手段を標準的なシャワーヘッドに取り付けることは困難である。そして、その照明手段に給電するために予備の電池を持ち歩くことも有りえない。
【０００７】
例えばスプレーなどの高速噴射シャワーヘッドは、公園、公営・私有の芝地、ゴルフコース等の様々な用途で現実に使われている。大量の水資源が浪費されており、この水資源を利用することは環境保護になる。従って、シンプルな構造の節水シャワーヘッドは、市場で歓迎されるであろう。
【０００８】
本考案の目的は、タービン発電機ユニットを備えた革新的な改良型シャワーヘッドを提供することにある。このシャワーヘッドは、シンプルな内部構造を有しており、このタイプのシャワーヘッドの耐用年数を確実に延ばすものである。
【０００９】
また、本考案の目的は、タービン発電機ユニットを備えた革新的な改良型シャワーヘッドを提供することにあり、シャワーノズル筐体に取り付けられたキー部品を定期的に取り外して清掃することができる。それによりシャワーノズルが異物によって閉塞することを防止できる。
【００１０】
さらに、本考案の目的は、タービン発電機ユニットを備えた革新的な改良型シャワーヘッドを提供することにあり、高速の水流を利用して発電することができる。
【００１１】
さらに、本考案の目的は、タービン発電機ユニットを備えた革新的な改良型シャワーヘッドを提供することにあり、シャワーヘッドはさらに照明手段を有する。照明手段はシャワーヘッドに設けられ、発光するために発電機から給電される。
【００１２】
さらに、本考案の目的は、タービン発電機ユニットを備えた革新的な改良型シャワーヘッドを提供することにある。従って、シャワーヘッドの内部を流れる水は、まずタービンコンプレッサー機構によって圧縮される。そして、その水は、極めて高速かつ高圧でノズルから噴射される。
【００１３】
さらに、本考案の目的は、異なる色の光ビームを照射する照明手段を備えた革新的な改良型シャワーヘッドを提供することにある。これにより、不意の停電の際に、このシャワーヘッドを照明として使用することができる。
【００１４】
さらに、本考案の目的は、革新的な改良型シャワーヘッドであって、脈打ち、あるいは操作容易性といった従来のシャワーヘッドが有する特徴を維持したシャワーヘッドを提供することにある。
【００１５】
さらに、本考案の目的は、革新的な改良型シャワーヘッドであって、上述した目的が、複雑な構造、あるいは高額部品を用いることなく達成できるシャワーヘッドを提供することにある。
【課題を解決するための手段】
【００１６】
従って、上記の目的を達成するために、本考案に係るターボチャージャー機構を備えたシャワーヘッドは、以下の構成を含む。
【００１７】
本考案に係るターボチャージャー機構を備えたシャワーヘッドは、前記課題を解決するために、ケースおよび放水パネルを有するシャワーヘッド筐体と、筐体内部に設けられたタービンコンプレッサーユニットと、を有し、前記ケースは、水流を導くためのケース水入口と、徐々に広がるケース壁とを有し、前記放水パネルは、該放水パネルに設けられた水スプレーノズルを有すると共に、前記ケースの最も底部に配設され、該ケースと密閉状態で結合し、前記タービンコンプレッサーユニットは、圧縮室と、該圧縮室に回転可能に設けられたタービンポンプインペラと、前記筐体内部に設けられたタービン発電機と、圧縮室水出口と、前記筐体内部に設けられた照明手段と、を有し、前記圧縮室は、前記水流を渦巻き状に変換して前記タービンポンプインペラを駆動するために、前記ケース水入口と連通する圧縮室水入口を有し、前記水流は前記圧縮室水出口から放出され、前記タービン発電機は、発電機と、前記タービンポンプインペラと同軸で連結する駆動シャフトとを有し、該タービンポンプインペラが前記渦巻き状の水流によって駆動することにより、該タービンポンプインペラが前記駆動シャフトを回転させ、該タービン発電機から電気エネルギーが発生し、前記圧縮室水出口は、前記放水パネルに設けられた前記水スプレーノズルに連通して、前記水流が該水スプレーノズルから噴射され、前記照明手段は、前記タービン発電機と電気的に接続して、光ビームを照射することを特徴としている。
【００１８】
本考案に係るターボチャージャー機構を備えたシャワーヘッドでは、前記タービン発電機は、前記ケース水入口の近傍に設けられると共に、発電機と発電機保護カバーとを備え、前記発電機保護カバーには保護カバー水通路が配設され、また、前記発電機保護カバーは、内部に前記発電機を設けるために後方に突き出しており、前記筐体内部の円形壁にはめ込まれることが好ましい。
【００１９】
本考案に係るターボチャージャー機構を備えたシャワーヘッドでは、前記圧縮室は、圧縮室上部体と、取り外し可能に該圧縮室上部体の底部を覆う圧縮室下部蓋とをさらに有し、それにより前記タービンポンプインペラを内部に収容する圧縮室が規定され、前記圧縮室上部体には、前記ケース水入口と連通する圧縮室水入口が設けられると共に、前記圧縮室水入口から入る水流を導くために、前記圧縮室水入口から前記圧縮室水出口までの横切断面の直径が次第に狭くなる遠心通路が該圧縮室上部体の底部上面に設けられ、前記遠心通路は、前記水流の移動方向に対して垂直な方向に複数の傾斜取水口が形成された内壁を有し、それにより前記水流の一部が前記タービンポンプインペラの回転方向に対して垂直な方向に浸入して、円形状の遠心通路に沿って接線方向に連続的な力を生み、それにより前記渦巻き状の水流が発生し、前記圧縮室下部蓋の底部には、前記タービンポンプインペラを収容することができる圧縮室下部凹部が設けられ、該圧縮室下部凹部の底部には、圧縮室水出口が設けられることが好ましい。
【００２０】
本考案に係るターボチャージャー機構を備えたシャワーヘッドでは、前記照明手段は、回路基板と、前記タービン発電機と電気的に接続する回路とをさらに備え、前記回路は、前記回路基板の下面に間隔をおいて設けられた、光ビームを照射するための複数の発光管を有し、前記回路基板は、回路基板水排出孔を有することが好ましい。
【００２１】
本考案に係るターボチャージャー機構を備えたシャワーヘッドでは、前記圧縮室上部体には水通路スリーブ管が設けられ、前記水通路スリーブ管は、該圧縮室上部体から上方へと延び、前記発電機保護カバーに設けられた前記保護カバー水通路に挿入され、前記水通路スリーブ管および前記保護カバー水通路は密閉状態で結合し、前記水流が前記圧縮室に直接注入されることが好ましい。
【００２２】
本考案に係るターボチャージャー機構を備えたシャワーヘッドでは、前記タービン発電機と前記タービンポンプユニットとの間にシーリング・ガスケットをさらに備え、該タービン発電機と該タービンポンプユニットとの間を完全にシーリングし、湿気による前記発電機への影響を防止することが好ましい。
【００２３】
本考案に係るターボチャージャー機構を備えたシャワーヘッドでは、前記発電機保護カバーには保護カバー電線用貫通孔が、前記圧縮室上部体には圧縮室上部体電線用貫通孔が、圧縮室下部蓋には圧縮室下部電線用貫通孔が、それぞれ形成されていることが好ましい。
【考案の効果】
【００２４】
本考案に係るシャワーヘッドは、以上のように、タービン発電機ユニットと照明手段とを備えているため、シャワーヘッドの内部を流れる水をタービンコンプレッサー機構によって圧縮し、極めて高速かつ高圧でノズルから噴射し、また内部を流れる水を有効に利用して、照明のために発電することができるという効果を有する。
【考案を実施するための最良の形態】
【００２５】
本考案は、図面に基づく以下の詳細な説明によって、より明確に理解することができる。但し、ここで示す実施形態は一例であって、本考案の範囲がその実施形態に限定されるものではない。
【００２６】
本考案は上述した各実施形態に限定されるものではなく、種々の変更が可能であり、異なる実施形態にそれぞれ開示された技術的手段を適宜組み合わせて得られる実施形態についても本考案の技術的範囲に含まれる。
【００２７】
図１から図１２を参照して、本考案の好ましい実施形態に従うシャワーヘッドを説明する。
【００２８】
シャワーヘッドは、シャワーヘッド筐体１０を有する。シャワーヘッド筐体１０は、水流を導くための水入口１００と、水入口１００から次第に広がってカバーの筐体内部１０２を規定するケース壁１０１と、水入口１００と同軸に設けられ、筐体内部１０２の末端となる放水パネル１１と、を備える。
【００２９】
さらに、本考案に係るシャワーヘッドは、筐体内部１０２に設けられたタービンコンプレッサーユニットを含む。タービンコンプレッサーユニットは、圧縮室３００とタービンポンプインペラ３２とを含む。圧縮室３００は、圧縮室上部体３０と圧縮室下部蓋３１とで形成され、水流を渦巻き状に変換するために水入口１００と連通している。タービンポンプインペラ３２は、圧縮室３００の内部に回転可能に設けられ、渦巻き状の水流によって駆動する。
【００３０】
さらに、シャワーヘッドは、筐体内部１０２の内部」であって、タービンコンプレッサーユニットの近傍にタービン発電機４を備える。タービン発電機４は、タービン発電機４から延びてタービンポンプインペラ３２と同軸で連結する駆動シャフト４０を含む。タービンポンプインペラ３２は、渦巻き状の水流によって駆動すると、駆動シャフト４０を回転させ始め、それによってタービン発電機４は電気エネルギーを生む。
【００３１】
さらに、本考案に係るシャワーヘッドは、筐体内部１０２の内部に設けられ、タービン発電機４と電気的に接続して光ビームを照射する照明部５を備える。
【００３２】
それゆえ、本考案に係るシャワーヘッドでは、水流が効率的に高圧水流に変換され、タービン発電機が回転して動作が開始する。図２に示すように、タービンコンプレッサーユニットは、水流を圧縮するための遠心ポンプとして動作するように構成されている。まず、水流が圧縮室３００に導かれ、渦巻き状の水流に変換される。そして、その渦巻き状の水流は、タービンポンプインペラ３２を回転させる。その一方で、高圧の渦巻き状の水流が、放水パネル１１の内部に噴出される。
【００３３】
図２、及び図１１に示すように、放水パネル１１には複数のノズル１１０が設けられている。従って、放水パネル１１は、複数の水出口として機能する。そして、その水出口は、タービンコンプレッサーユニットと水入口１００とに、液体の流れが連通している。
【００３４】
本考案の好ましい実施形態において、タービン発電機４は、水入口１００の近傍に設けられる。さらに、タービン発電機４は、駆動シャフト４０に加え、対応する筐体内部１０２の円形壁にはめ込まれる発電機保護カバー２を含む。なお、発電機のローターは、駆動シャフト４０に搭載されている。従って、駆動シャフト４０が回転する限り、ローターはタービン発電機４の固定子に対して回転し発電する。
【００３５】
図２、及び図３に示すように、タービン発電機４は、さらに、発電機保護カバー２に水通路２０が設けられている。水流は、タービン発電機４の内部に漏れることなく、その水通路２０を通って圧縮室３００に直接注入される。図５に示すように、タービンポンプインペラ３２は、圧縮室３００の水プロペラとして機能する。図中において、２１は固定孔を、２２は保護カバーの電線用貫通孔を示す。
【００３６】
図３Ａおよび図３Ｂは、それぞれタービン発電機４の頂部と底部を示す。本考案の好ましい実施形態に従うタービン発電機４の発電機保護カバー２２において、ケース１０１は、水入口から次第に広がり、筐体内部１０２を規定している。従って、発電機保護カバー２と水入口１００との間に空間が確保される。一方、発電機保護カバー２は、さらにその周縁の下側表面に複数の固定孔２１を備える。それによって、発電機保護カバー２は、タービンコンプレッサーユニットと取り外し可能に取り付けられる。また、発電機保護カバー２は、その周縁に設けられた一組の環状隆起部である内側環状隆起部２３と外側環状隆起部２４とを備える。そして、内側環状隆起部２３の高さは外側環状隆起部２４の高さよりも低い。従って、発電機保護カバー２の周縁において、内側環状隆起部２３と外側環状隆起部２４とが環状通路２５を形成する。なお、タービンコンプレッサーユニット３の頂部は発電機保護カバー２の底部にはめ込まれる。それによって、タービン発電機４は、シャワーヘッド筐体に確実に固定される。最後になるが、発電機保護カバー２から延びる内側環状隆起部２３は、さらに、電線を通すための保護カバー電線用貫通孔２２を含む。
【００３７】
図４Ａ、図４Ｂ、図５Ａ、及び図５Ｂは、それぞれタービンコンプレッサーユニットの頂部と底部を示す。本考案の好ましい実施形態に従えば、圧縮室３００は、圧縮室上部体３０と圧縮室下部蓋３１とを備える。圧縮室下部蓋３１は、取り外し可能に圧縮室上部体３０の底部を覆い、それによって圧縮室上部体３０と圧縮室下部蓋３１との間に圧縮室３００が規定される。そして、その圧縮室３００にはタービンポンプインペラ３２が設けられる。図４Ｂに示すように、圧縮室上部体３０の底部の外形は遠心ポンプに似ており、水流が境界線に沿って流れ込むことにより接線方向に連続的な力が生まれ、それによって渦巻き状の水流が発生する。
【００３８】
圧縮室上部体３０は環状であり、圧縮室下部蓋３１は半球体状である。それにより、円錐状の空間がもたらされると共に、タービンポンプインペラが適切な位置に支持される。それゆえ、図２に示すように、圧縮室上部体３０の頂部が、発電機保護カバー２の下面にはめ込まれる構造となる。つまり、圧縮室上部体３０は、圧縮室上部体３０から上方へと延びる水通路スリーブ管３０１を有し、それによって水通路スリーブ管３０１は発電機保護カバー２の水通路２０に挿入される。従って、圧縮室３００の内部に水を直接注入することができる。さらに、圧縮室上部体３００は、４つの取り付け柱３０２を備える。取り付け柱３０２は、圧縮室上部体から真上に延びており、発電機保護カバー２の対応する固定孔２１に連結される。従って、圧縮室上部体は、対応するタービン発電機４の保護カバー電線用貫通孔２２に嵌め込まれる圧縮室上部体電線用貫通孔３０３をさらに備える。そして、電線は、保護カバー電線用貫通孔２２と、圧縮室上部体電線用貫通孔３０３と、圧縮室下部電線用貫通孔３１１とを貫通するように適合され、タービン発電機４と照明部５とを電気的に接続する。なお、圧縮室上部体３０の頂部周縁は、真上に延びて環状隆起部を形成しており、発電機保護カバー２の底部に設けられた環状通路２５に嵌め込まれる。このような構造によって、タービンコンプレッサーユニットとタービン発電機４とが動作中において確実に固定される。図中の３０６はタービン発電機４を取り付けるための取付孔を示し、３０７は駆動シャフト４０に適合するシャフト孔を示す。駆動シャフト４０は、そのシャフト孔を貫通してタービンポンプインペラ３２と連結する。そして、駆動シャフト４０と軸孔３０７との間には防水処理が施される。
【００３９】
図４Ｂに示すように、圧縮室上部体３０の底部は、水流を導くための遠心通路３０４を備えた遠心ポンプとして形成される。遠心通路３０４の内壁３０５には、そこを流れる水の移動方向に対して垂直な方向に複数の傾斜取水口３０６が設けられ、隣り合う２つの傾斜取水口３０６の間には、それぞれ偏向した隙間が複数形成されてる。さらに、遠心通路３０４の横切断面の寸法は次第に狭くなり、水流を導くための渦巻き通路が形成されている。遠心通路３０４の寸法は徐々に狭くなるため、遠心通路３０４を流れる水の圧力は徐々に増加する。そして、その水流は、複数の傾斜取水口を通って圧縮室３００の中に押し出される。それにより、圧縮室下部蓋３１に回転可能に支持されたタービンポンプインペラ３２が回転する。なお、水流は、遠心通路３０４の最も広い部分に導かれ、遠心通路３０４に沿って圧縮室３００の内部に浸入する。従って、圧縮された水は、遠心ポンプの中心部に集中することになる。
【００４０】
本考案の好ましい実施形態に従えば、いずれの傾斜取水口３０６も所定の傾斜角度で設計されている。つまり、各々の傾斜取水口３０６の傾斜角度は、遠心通路３０４に沿って徐々に増えていく。その一方で、隣り合う２つの傾斜取水口３０６の間隔は次第に狭くなる。この構造は、圧縮室３００の内部で渦巻き流の効果を得ることを目的としている。圧縮室下部蓋３１は円錐状であり、タービンポンプインペラ３２を嵌め込むための基底溝を有する。そして、タービンポンプインペラ３２の形状は、回転効率を高めるためにスラスタの形状に似ている。
【００４１】
この構造は、図４に明示されている。遠心通路３０４の右側は、反対側である左側よりも幅広く、また背が高い。水は、遠心通路３０４の右側から注入され、遠心通路３０４の左側へと導かれれる。水は、次第に空間が狭くなるため、圧縮されて圧縮室３００の中心部へ押し出される。
【００４２】
図７に示すように、本考案に係るシャワーヘッドは、さらにシーリング・ガスケット６を備える。シーリング・ガスケット６は、タービン発電機４とタービンコンプレッサーユニットとの間に水が流れることを防ぎ、タービンコンプレッサーユニットを防水保護する。シーリング・ガスケット６は樹脂材料による。このシーリング・ガスケット６によって、タービンコンプレッサーユニットから噴射された水がシャワーヘッド筐体の内部に漏れることを確実に防いでいる。
【００４３】
図８に示すように、圧縮室下部蓋３１の底部にはさらに圧縮室水出口３１０が設けられる。圧縮室水出口３１０は、３つの半扇形状の貫通孔を備える。いずれの貫通孔も、効果的に水を噴射するために半扇形状となっている。これは、現実的に、圧縮室水出口３１０がほぼ円形状の穴を有していることによる。なお、タービンポンプインペラ３２の主軸はさらに下方へと延びており、タービンポンプインペラ３２の回転運動を向上させている。
【００４４】
本考案に基づき、照明部５は、さらに回路基板５０と複数の発光管５１とを備える。回路基板５０は、筐体の内面に適合する円形の周縁を有する。発光管５１は、光ビームを照射するための間隔をおいて回路基板５０の下面に設けられている。
【００４５】
図９Ｃは、照明部５の回路基板５０を示す。回路基板５０は、タービン発電機４と電気的に接続されており、それにより発光管５１は給電される。従って、発光管５１は、異なる色を有するように形成され、異なる色による照射効果を実現できる。タービンポンプインペラ３２の回転速度によって電流が制御されるため、ユーザーは、水流の強さを調整することにより発光管の輝度を選択することができる。照明部５の側面部には、回路基板の水排出孔５２が対称的に設けられている。実際に使用する際には、照明部５の回路基板５０における露出した導電部には、耐水接着シーリングなどの防水処理が施される。
【００４６】
図１２において、レジスタンスＲ１、Ｒ２、Ｒ３、Ｒ４、Ｒ５は調整抵抗であり、キャパシタＣ１は調整キャパシタである。オーディオンＱ１、Ｑ２、Ｑ３は導電管である。Ｄ１１-Ｄ１４、Ｄ２１-Ｄ２４、Ｄ３１-Ｄ３４は発光ダイオード（つまり、発光ランプ５１）である。
【００４７】
図１１Ａ、図１１Ｂにおいて、本考案の好ましい実施形態に従う放水パネル１１を示す。放水パネル１１は、放水パネル１１から延びるネジ壁１１２をさらに備えており、放水パネル１１は筐体内部１０２に対して回転可能に取り付けられている。放水パネル１１は、水スプレーノズル１１０と発光管集束ヘッド１１１とをさらに備える。
【００４８】
本考案は、図面に基づく詳細な説明によって、より明確に理解することができる。但し、ここで示す実施形態は一例であって、本考案の範囲がその実施形態に限定されるものではない。
【００４９】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【産業上の利用可能性】
【００５０】
本考案は、液体ディスペンサーに適用することができる。より具体的には、ターボチャージャー機構を備えたシャワーヘッドであって、該シャワーヘッドの内部を流れる水を有効に利用して、照明あるいはその他の用途のために発電するシャワーヘッドに適用することができる。
【図面の簡単な説明】
【００５１】
【図１】本考案の好ましい実施形態に基づくシャワーヘッドの分解斜視図であり、タービンポンプユニットと、発電機と、照明部とを示す図である。
【図２】本考案の好ましい実施形態に基づくシャワーヘッドの分解斜視図であり、シャワーヘッド水入口と、シャワーヘッドのカバー壁と、放水パネルとを示す。
【図３Ａ】本考案の好ましい実施形態に基づく発電機の頂部斜視図である。
【図３Ｂ】本考案の好ましい実施形態に基づく発電機の底部斜視図である。
【図４Ａ】本考案の好ましい実施形態に基づくタービンポンプユニットの頂部斜視図である。
【図４Ｂ】本考案の好ましい実施形態に基づくタービンポンプユニットの底部斜視図である。
【図５Ａ】本考案の好ましい実施形態に基づくタービンポンプインペラの斜視図である。
【図５Ｂ】本考案の好ましい実施形態に基づくタービンポンプインペラの底部を示す図である。
【図６】本考案に係る発電機の概略図である。
【図７】本考案の好ましい実施形態に基づくシールリングの斜視図である。
【図８Ａ】本考案の好ましい実施形態に基づくタービンポンプユニットの底部斜視図である。
【図８Ｂ】本考案の好ましい実施形態に基づくタービンポンプユニットの底部部品の斜視図である。
【図９Ａ】本考案の好ましい実施形態に基づく照明部の上面斜視図である。
【図９Ｂ】本考案の好ましい実施形態に基づく照明部の下面斜視図である。
【図９Ｃ】本考案の好ましい実施形態に基づく照明部の回路基板の概略図である。
【図１０Ａ】本考案の好ましい実施形態に基づくシャワーヘッドのカバーの斜視図であり、照明のためにシャワーヘッド本体に複数の切取部を設けた図である。
【図１０Ｂ】本考案の好ましい実施形態に基づくシャワーヘッドのカバーの断面図である。
【図１１Ａ】本考案の好ましい実施形態に基づく放水パネルの斜視図である。
【図１１Ｂ】本考案の好ましい実施形態に基づく他の放水パネルの斜視図である。
【図１２】本考案の好ましい実施形態に基づく照明部の回路基板の回路図である。
【図１】
0003143899.tif 000003
【図２】
0003143899.tif 000004
【図３Ａ】
0003143899.tif 000005
【図３Ｂ】
0003143899.tif 000006
【図４Ａ】
0003143899.tif 000007
【図４Ｂ】
0003143899.tif 000008
【図５Ａ】
0003143899.tif 000009
【図５Ｂ】
0003143899.tif 000010
【図６】
0003143899.tif 000011
【図７】
0003143899.tif 000012
【図８Ａ】
0003143899.tif 000013
【図８Ｂ】
0003143899.tif 000014
【図９Ａ】
0003143899.tif 000015
【図９Ｂ】
0003143899.tif 000016
【図９Ｃ】
0003143899.tif 000017
【図１０Ａ】
0003143899.tif 000018
【図１０Ｂ】
0003143899.tif 000019
【図１１Ａ】
0003143899.tif 000020
【図１１Ｂ】
0003143899.tif 000021
【図１２】
0003143899.tif 000022